(57)【要約】  ヘッド、ポンプ、およびチューブを有し、ポンプの外部に蓋が設置され、ポンプに第一係合部が設置されるポンプディスペンサーユニットと、軟質袋を有し、軟質袋の上端に開口端が設置され、軟質袋の中に流体物質が充填され、開口端に第二係合部が設置され、ポンプディスペンサーユニットのポンプが開口端の中に挿入されることで、開口端の上の密封部品と共に、開口端が密封され軟質袋の内部が密封空間になって、第二係合部が第一係合部と係合することでポンプディスペンサーユニットに接続してチューブが内部に入ることができるソフトバッグと、内部にソフトバッグが設置され、ポンプディスペンサーユニットの蓋が口部に接続する、ボトル本体と、が含まれることで、ソフトバッグ内の流体物質が真空原理の応用で残留されずに完全に送出され、ソフトバッグの交換も補充操作効率の向上で簡単になり、ポンプディスペンサーユニットとボトル本体が再利用可能になり、環境にも優しい目的を達成できる真空原理を利用した環境にも優しい吸上装置。【選択図】図２
2021532028.tif 000002
【特許請求の範囲】
【請求項１】
ヘッド、ポンプ、およびチューブを有し、前記ヘッドが前記ポンプの上端に接続し、前記チューブが前記ポンプの下端に接続し、前記ポンプの外部に蓋が設置され、前記ポンプに少なくとも一つの第一係合部が設置され、前記第一係合部が前記ポンプの外壁に設置されるポンプディスペンサーユニットと、
軟質袋を有し、前記軟質袋の上端に開口端が設置され、前記軟質袋の中に流体物質が充填され、前記開口端に少なくとも一つの第二係合部が設置され、前記第二係合部が前記開口端の内壁に設置され、前記ポンプディスペンサーユニットの前記ポンプが前記開口端の中に挿入されることで、前記開口端が密封され軟質袋の内部が密封空間になって、真空の効果により負圧状態になり、使用回数および使用量の増加に応じて前記軟質袋の形状および内容積が圧縮され、前記第二係合部が前記第一係合部と係合することで前記ポンプディスペンサーユニットに接続して前記チューブが内部に入ることができるソフトバッグと、
上端に口部を有し、内部に前記ソフトバッグが設置され、前記ポンプディスペンサーユニットの前記蓋が前記口部に接続するボトル本体と、が含まれ、
前記ポンプディスペンサーユニットの前記ヘッドが押される時に、前記ポンプを利用して吸い上げる力を生み、前記ソフトバッグの内部を負圧状態にさせ、真空原理の利用と伴い、流体物質を前記チューブを通して外へ送出させることを特徴とする、真空原理を利用した環境にも優しい吸上装置。
【請求項２】
前記第一係合部が係合体であり、前記第二係合部が係合槽であることを特徴とする、請求項１に記載の真空原理を利用した環境にも優しい吸上装置。
【請求項３】
前記第一係合部が係合槽であり、前記第二係合部が係合体であることを特徴とする、請求項１に記載の真空原理を利用した環境にも優しい吸上装置。
【請求項４】
前記ソフトバッグの前記開口端が中空円柱体であり、前記ポンプディスペンサーユニットの前記ポンプが円柱状であり、前記係合槽が第一溝槽と第二溝槽を有し、前記第一溝槽が上下に延長し、前記第二溝槽の一端が前記第一溝槽の一端に接続し、前記第二溝槽が環状に伸ばされ、前記第二溝槽が前記第一溝槽と垂直になり、前記係合体が前記係合槽の前記第一溝槽に沿って移動し、前記ポンプディスペンサーユニットと前記ソフトバッグとを回転させることで、前記係合体を前記第二溝槽に入って前記第二溝槽のもう一端までに移動させて固定することを特徴とする、請求項２また３に記載の真空原理を利用した環境にも優しい吸上装置。
【請求項５】
前記チューブの下端が前記ソフトバッグの下端の内壁に接近することを特徴とする、請求項１に記載の真空原理を利用した環境にも優しい吸上装置。
【請求項６】
前記チューブの下端と前記ソフトバッグの下端の内壁の間の間隔が１ｍｍ〜１０ｍｍであることを特徴とする、請求項５に記載の真空原理を利用した環境にも優しい吸上装置。
【請求項７】
前記ソフトバッグの前記開口端と前記ポンプディスペンサーユニットの前記ポンプの間に、少なくとも一つの第一密封部品が設置されることで、前記ソフトバッグの前記開口端と前記ポンプディスペンサーユニットの前記ポンプの間が緊密に接続されることを特徴とする、請求項１に記載の真空原理を利用した環境にも優しい吸上装置。
【請求項８】
前記ソフトバッグの前記開口端の上に、少なくとも一つの第二密封部品が設置され、前記第二密封部品が、前記ソフトバッグの前記開口端、前記ポンプディスペンサーユニットの前記ポンプ、前記蓋および前記ボトル本体の前記口部の間に位置することを特徴とする、請求項７に記載の真空原理を利用した環境にも優しい吸上装置。
【請求項９】
前記蓋が第一ネジ構造を有し、前記口部が第二ネジ構造を有し、前記第一ネジ構造が前記第二ネジ構造と螺合されることにより、前記蓋が前記ボトル本体の前記口部と螺合されることを特徴とする、請求項１に記載の真空原理を利用した環境にも優しい吸上装置。
【請求項１０】
前記ボトル本体がアップケースとダウンケースを含み、前記アップケースと前記ダウンケースが互いに組合わされることを特徴とする、請求項１に記載の真空原理を利用した環境にも優しい吸上装置。
【請求項１１】
前記第一係合部がネジ構造であり、前記第二係合部がネジ構造であり、前記第一係合部が前記第二係合部と螺合されることを特徴とする、請求項１に記載の真空原理を利用した環境にも優しい吸上装置。
【発明の詳細な説明】
【技術分野】
【０００１】
本発明は吸上装置に関し、特に真空原理を利用した環境にも優しい吸上装置に関するものである。
【背景技術】
【０００２】
現存するシャンプー、ボディソープ、食器用洗剤などの用品が、ボトルに詰込んで、ボトルの開口に設置されるヘッドを押すことによって、ボトル内の流体物質を吸上げて流出させ、使用する。このような方法は便利ではあるが、最後流体物質がボトルの底部に残留し、出し切ることができない問題があり、無駄になり、ボトルやヘッドなどの部品が再使用されずに廃棄され、膨大な浪費となり、ボトルと共に廃棄される残留流体物質も環境に非常に悪い。
【発明の概要】
【発明が解決しようとする課題】
【０００３】
近年、環境問題への意識が高くなってきたゆえ、材料を如何に再利用するかということは、重要な課題になったため、シャンプー、ボディソープや食器用洗剤などの用品について、ボトルに充填されるもの以外、対応する詰め替えというものが販売され、廃棄容器の量を減少してきている。しかしながら、詰め替えは、流体物質をボトルに入れ替えする際に、手間がかかり、手に付着し易く、更に環境への汚染をもたらすことがあり、その後に、大量な水で洗浄する必要があり、使用には不便なことになりつつあるうえに、流体物質が詰め替えの中に残留し、材料のリサイクルが困難になったり、共に棄てられたりして環境へ汚染をもたらす問題になる。
【０００４】
上述のように、本発明者は上記課題を解決すべく鋭意検討を重ね、学理の応用と組合わせて、合理的なデザインで上記課題を有効に解決できる本発明を提出する。
【課題を解決するための手段】
【０００５】
このため、本発明は、部品が再利用可能で、環境への問題にならず、流体物質が残留されずに完全に利用でき、無駄にならず、環境にも負担がかからず、環境にも優しい詰め替えの使用効率を大幅に上げられる真空原理を利用した環境にも優しい吸上装置を提供することを目的とする。
【０００６】
上記の目的を達成するために、本発明は、ヘッド、ポンプ、およびチューブを有し、前記ヘッドが前記ポンプの上端に接続し、前記チューブが前記ポンプの下端に接続し、前記ポンプの外部に蓋が設置され、前記ポンプに少なくとも一つの第一係合部が設置され、前記第一係合部が前記ポンプの外壁に設置されるポンプディスペンサーユニットと、軟質袋を有し、前記軟質袋の上端に開口端が設置され、前記軟質袋の中に流体物質が充填され、前記開口端に少なくとも一つの第二係合部が設置され、前記第二係合部が前記開口端の内壁に設置され、前記ポンプディスペンサーユニットの前記ポンプが前記開口端の中に挿入されることで、前記開口端が密封され軟質袋の内部が密封空間になって、真空の効果により負圧状態になり、使用回数および使用量の増加に応じて前記軟質袋の形状および内容積が圧縮され、前記第二係合部が前記第一係合部と係合することで前記ポンプディスペンサーユニットに接続して前記チューブが内部に入ることができるソフトバッグと、上端に口部を有し、内部に前記ソフトバッグが設置され、前記ポンプディスペンサーユニットの前記蓋が前記口部に接続するボトル本体と、が含まれ、前記ポンプディスペンサーユニットの前記ヘッドが押される時に、前記ポンプを利用して吸い上げる力を生み、前記ソフトバッグの内部を負圧状態にさせ、真空原理の利用と伴い、流体物質を前記チューブを通して外へ輸出させることを特徴とする真空原理を利用した環境にも優しい吸上装置を提供する。
【０００７】
本発明に係る１つの実施例では、前記第一係合部が係合体であり、前記第二係合部が係合槽であることを特徴とする、真空原理を利用した環境にも優しい吸上装置を提供する。
【０００８】
本発明に係る１つの実施例では、前記ソフトバッグの前記開口端が中空円柱体であり、前記ポンプディスペンサーユニットの前記ポンプが円柱状であり、前記係合槽が第一溝槽と第二溝槽を有し、前記第一溝槽が上下に延長し、前記第二溝槽の一端が前記第一溝槽の一端に接続し、前記第二溝槽が環状に伸ばされ、前記第二溝槽が前記第一溝槽と垂直になり、前記係合体が前記係合槽の前記第一溝槽に沿って移動し、前記ポンプディスペンサーユニットと前記ソフトバッグとを回転させることで、前記係合体を前記第二溝槽に入って前記第二溝槽のもう一端までに移動させて固定することを特徴とする真空原理を利用した環境にも優しい吸上装置を提供する。
【０００９】
本発明に係る１つの実施例では、前記チューブの下端が前記ソフトバッグの下端の内壁に接近することを特徴とする真空原理を利用した環境にも優しい吸上装置を提供する。
【００１０】
本発明に係る１つの実施例では、前記チューブの下端と前記ソフトバッグの下端の内壁の間の間隔が１ｍｍ〜１０ｍｍであることを特徴とする真空原理を利用した環境にも優しい吸上装置を提供する。
【００１１】
本発明に係る１つの実施例では、前記ソフトバッグの前記開口端と前記ポンプディスペンサーユニットの前記ポンプの間に、少なくとも一つの第一密封部品が設置されることで、前記ソフトバッグの前記開口端と前記ポンプディスペンサーユニットの前記ポンプの間が緊密に接続されることを特徴とする真空原理を利用した環境にも優しい吸上装置を提供する。
【００１２】
本発明に係る１つの実施例では、前記ソフトバッグの前記開口端の上に、少なくとも一つの第二密封部品が設置され、前記第二密封部品が、前記ソフトバッグの前記開口端、前記ポンプディスペンサーユニットの前記ポンプ、前記蓋および前記ボトル本体の前記口部の間に位置することを特徴とする真空原理を利用した環境にも優しい吸上装置を提供する。
【００１３】
本発明に係る１つの実施例では、前記蓋が第一ネジ構造を有し、前記口部が第二ネジ構造を有し、前記第一ネジ構造が前記第二ネジ構造と螺合されることにより、前記蓋が前記ボトル本体の前記口部と螺合されることを特徴とする真空原理を利用した環境にも優しい吸上装置を提供する。
【００１４】
本発明に係る１つの実施例では、前記ボトル本体がアップケースとダウンケースを含み、前記アップケースと前記ダウンケースが互いに組合わされることを特徴とする真空原理を利用した環境にも優しい吸上装置を提供する。
【００１５】
本発明に係る１つの実施例では、前記第一係合部がネジ構造であり、前記第二係合部がネジ構造であり、前記第一係合部が前記第二係合部と螺合されることを特徴とする真空原理を利用した環境にも優しい吸上装置を提供する。
【００１６】
本発明に採用される技術手段によって、以下の有益効果が達成できる。
本発明のポンプディスペンサーユニットとボトルが再利用可能で、環境への問題にならず、ソフトバッグの内部を真空の状態にすることができ、流体物質が重力でソフトバッグの内部の底部に流れ、真空原理の利用と伴い、流体物質を確実にチューブで送出させ、流体物質がソフトバッグの内部に残留されずに完全に使用されるので、無駄にならず、環境への負担もかからない。
【００１７】
本発明のソフトバッグの内部の流体物質がボトル本体に充填される必要がなく、流体物質が手に付着しにくく、ソフトバッグがポンプディスペンサーユニットに係合し、ソフトバッグの取り付けと交換も簡単であるので、環境にも優しい詰め替えの使用効率を大幅に上げることができる。
【００１８】
本発明は上記目的を達成するために採用する技術、方法および効果が更に理解できるため、以下本発明に係る説明と図面に参照し、本発明の目的、特徴、および特徴が理解できるようにするが、添付の図面および添付資料は、参照および説明のみを目的としており、本発明を限定することを意図するものではない。
【図面の簡単な説明】
【００１９】
【図１ａ】本発明に係る１つの実施例の環境にも優しい吸上装置の構造の一部の分解図である。
【図１ｂ】本発明に係るもう１つの実施例の環境にも優しい吸上装置の構造の一部の分解図である。
【図１ｃ】本発明に係るもう１つの実施例の環境にも優しい吸上装置の構造の一部の分解図である。
【図２】本発明の環境にも優しい吸上装置の分解状態の断面図である。
【図３】本発明の環境にも優しい吸上装置の断面図（一）である。
【図４】本発明の環境にも優しい吸上装置の断面図（二）である。
【発明を実施するための形態】
【００２０】
図１ａ〜図４に示すように、本発明は、ポンプディスペンサーユニット１と、ソフトバッグ２と、ボトル本体３が含まれる真空原理を利用した環境にも優しい吸上装置を提供する。
【００２１】
ポンプディスペンサーユニット１は、ヘッド１１、ポンプ１２、およびチューブ１３を有し、前記ヘッド１１が前記ポンプ１２の上端に接続し、前記チューブ１３が前記ポンプ１２の下端に接続し、前記ポンプ１２が円柱状であることができ、前記チューブ１３が中空の管状体である。前記ヘッド１１が押される時に、前記ポンプ１２を利用して吸い上げる力を生み、チューブ１３で流体物質を吸上げ、流体物質を、順にチューブ１３、ポンプ１２、ヘッド１１を通して外へ送出させる。
【００２２】
前記ポンプ１２の外部に蓋１４が設置され、前記蓋１４が第一ネジ構造１４１を有し、前記第一ネジ構造１４１が内ネジであることで、前記蓋１３が前記ボトル本体３と螺合されることができる。
前記ポンプディスペンサーユニット１は押すことで流体物質を吸上げる装置であり、その構造は既存の技術であり、本発明に請求するポイントであらず、また、本発明はポンプディスペンサーユニット１の構造を限定しないので、詳細の説明を省略する。
【００２３】
前記ポンプ１２に少なくとも一つの第一係合部１５が設置され、ソフトバッグ２の第二係合部２３と係合できる。本実施例において、第一係合部１５がポンプ１２の外壁に設置され、第一係合部１５が係合体であることができる。第一係合部１５が、例えば、２つや３つの複数を設置することが好ましい。
【００２４】
前記ソフトバッグ２は、軟質袋２１を有し、前記軟質袋２１が防水できる材料で形成され、軟質袋２１が可撓性を持つものである。前記軟質袋２１の上端に開口端２２が設置され、前記開口端２２が中空の円柱体であり、軟質袋２１の内部に連通し、前記軟質袋２１の中に、シャンプー、ボディソープ、食器用洗剤などの流体物質が充填され、前記流体物質の種類が制限されるものではない。前記ソフトバッグ２がポンプディスペンサーユニット１およびボトル本体３に取り付けられる前に、密封蓋や密封シート（未図示）で開口端２２を密封することで、軟質袋２１の流体物質の流出を避け、軟質袋２１の輸送や保存が簡単になる。
【００２５】
前記開口端２２に少なくとも一つの第二係合部２３が設置され、ポンプディスペンサーユニット１の第一係合部１５と係合できる。本実施例において、第二係合部２３が開口端２２の内壁に設置され、第二係合部２３が係合槽であることができる。第二係合部２３が例えば、２つや３つの複数設置が好ましい。第二係合部２３が、第一溝槽２３１と第二溝槽２３２を有し、第一溝槽２３１が開口端２２の上端から下へ伸ばされ、前記第二溝槽２３２の一端が第一溝槽２３１の下端に接続し、第二溝槽２３２が開口端２２の環状方向に伸ばされ、第二溝槽２３２が前記第一溝槽２３１と垂直になり、第二溝槽２３２がＬ字の係合槽になる（図１ａに示す通り）。
【００２６】
前記ソフトバッグ２が係合することでポンプディスペンサーユニット１に接続でき、ポンプディスペンサーユニット１のポンプ１２がソフトバッグ２の開口端２２の中に挿入されることで、第一係合部１５が第二係合部２３の第一溝槽２３１に沿って下へ移動し、第一係合部１５が第一溝槽２３１の下端に移動すると、ポンプディスペンサーユニット１とソフトバッグ２とを回転させることで、第一係合部１５を第二溝槽２３２に入って第二溝槽２３２のもう一端（末端）までに移動させて固定することによって、ソフトバッグ２がポンプディスペンサーユニット１に係合でき、チューブ１３がバッグ２の中に挿入され、前記チューブ１３の下端がソフトバッグ２の下端の内壁に接近する。好ましくは、チューブ１３の下端とソフトバッグ２の下端の内壁の間隔Ｇが１ｍｍ〜１０ｍｍである。
【００２７】
ただし、本発明の第一係合部１５および第二係合部２３の構造が制限されず、既存のあらゆる係合構造であることもでき、例えば、第一係合部１５がＬ字の係合槽であり、第二係合部２３が係合体であり、第一係合部１５と第二係合部２３が相互に係合すること（図１ｂに示すように）もできる。第一係合部１５があらゆる突出や凹みの構造であり、第二係合部２３があらゆる凹みや突出の構造であり、第一係合部１５と第二係合部２３が相互に係合することもできる。ネジ構造の第一係合部１５および第二係合部２３が凹みや突出の構造であり、第一係合部１５と第二係合部２３が相互に係合すること（図１ｃに示す通り）もできる。
【００２８】
ソフトバッグ２がポンプディスペンサーユニット１に接続し、ポンプディスペンサーユニット１のポンプ１２がソフトバッグ２の開口端２２の中に挿入されることで、ソフトバッグ２の開口端２２が密封されソフトバッグ２の内部が密封空間２４になって、ソフトバッグ２の内部が真空の効果により負圧状態になり、使用回数および使用量の増加に応じて軟質袋２１の形状および内容積が圧縮される。ポンプディスペンサーユニット１のヘッド１１が押される時に、ポンプ１２を利用して吸い上げる力を生み、ソフトバッグ２の内部を負圧状態にさせることで、チューブ１３で流体物質を吸上げて外へ送出させる。
【００２９】
ソフトバッグ２の密封空間２４の密封性を向上するために、ソフトバッグ２の開口端２２とポンプディスペンサーユニット１のポンプ１２の間に、少なくとも一つの第一密封部品２５が設置されることで、前記第一密封部品２５がソフトバッグ２の開口端２２の内壁とポンプディスペンサーユニット１のポンプ１２の外壁と間に位置し、ソフトバッグ２の開口端２２とポンプディスペンサーユニット１のポンプ１２の間が緊密に接続されることによって、外部の空気がソフトバッグ２の中に入ることを防ぐことができ、ソフトバッグ２の密封空間２４の内部が真空の状態を保つことができる。ポンプディスペンサーユニット１とソフトバッグ２が直接に結合されることによって、ポンプディスペンサーユニット１とソフトバッグ２の間により良い密封性を有することができる。
【００３０】
ボトル本体３は、ソフトバッグ２を収納できる中空の容器であり、前記ボトル本体３が上端に開口形状の口部３１を有し、口部３１がボトル本体３の内部に連通する。前記口部３１が第二ネジ構造３１１を有し、前記第二ネジ構造３１１が外ネジであることができ、第一ネジ構造１４１が第二ネジ構造３１１と螺合されることにより、蓋１４がボトル本体３の口部３１と螺合されることができる。本発明のもう１つの実施例において、蓋１４が係合することでボトル本体３の口部３１に接続することもできる。
【００３１】
前記ソフトバッグ２がボトル本体３の内部に設置されるので、設置の利便性のために、本実施例のボトル３がツーピースの構造を採用し、即ち、ボトル本体３がアップケース３２とダウンケース３３を含み、アップケース３２とダウンケース３３が、係合や螺合によって互いに組合わされ、ソフトバッグ２を簡単にボトル本体３の内部に設置することができる。
【００３２】
なお、ソフトバッグ２の開口端２２の上に、少なくとも一つの第二密封部品２６を設置することができ、前記第二密封部品２６が、ソフトバッグ２の開口端２２、ポンプディスペンサーユニット１のポンプ１２、蓋１４およびボトル本体３の口部３１の間に位置し、前記第二密封部品２６が第一密封部品２５と共に設置されることで二重密封の効果を形成でき、ソフトバッグ２の密封空間２４の内部が真空の状態を保つことができる。
【００３３】
本発明の環境にも優しい吸上装置は、前記ソフトバッグ２の内部が真空の状態を形成でき、ポンプディスペンサーユニット１のヘッド１１を押すときに、ソフトバッグ２の内部を真空引きさせ、ポンプディスペンサーユニット１が気体の再補充もしないので、真空原理を利用してソフトバッグ２の内部の流体物質を送出できる。ソフトバッグ２の内部の流体物質を使い切った際に、新しいソフトバッグ２（内部に流体物質がある）を交換することで使用し続けることができる。
【００３４】
故に、本発明のポンプディスペンサーユニット１とボトル本体３が再利用可能で、環境への問題にならず、流体物質が重力でソフトバッグ２の内部の底部に流れ、真空原理の利用と伴い、流体物質を確実にチューブ１３で送出させ、流体物質がソフトバッグ２の内部に残留されずに完全に使用される（図４に示すように）ので、無駄にならず、環境への負担にもならない。
【００３５】
また、本発明のソフトバッグ２の内部の流体物質がボトル本体３に充填される必要がなく、流体物質が手に付着しにくく、ソフトバッグ２がポンプディスペンサーユニット１に係合し、ソフトバッグ２の取り付けと交換も簡単であるので、環境にも優しい詰め替えの使用効率を大幅に上げることができる。
【００３６】
なお、本発明は、上記実施形態に限定されるものではない。上記実施形態は、例示であり、本発明の特許請求の範囲に記載された技術的思想と実質的に同一な構成を有し、同様の作用効果を奏するものは、いかなるものであっても本発明の技術的範囲に包含される。
【符号の説明】
【００３７】
１  ポンプディスペンサーユニット
１１  ヘッド
１２  ポンプ
１３  チューブ
１４  蓋
１４１  第一ネジ構造
１５  第一係合部
Ｇ  間隔
２  ソフトバッグ
２１  軟質袋
２２  開口端
２３  第二係合部
２３１  第一溝槽
２３２  第二溝槽
２４  密閉空間
２５  第一密封部品
２６  第二密封部品
３  ボトル本体
３１  口部
３１１  第二ネジ構造
３２  アップケース
３３  ダウンケース
【図１ａ】
2021532028.tif 000003
【図１ｂ】
2021532028.tif 000004
【図１ｃ】
2021532028.tif 000005
【図２】
2021532028.tif 000006
【図３】
2021532028.tif 000007
【図４】
2021532028.tif 000008
【国際調査報告】
2021532028.tif 000009
2021532028.tif 000010
2021532028.tif 000011
2021532028.tif 000012